(57)【特許請求の範囲】
【請求項１】
傘布の親骨間に張られる張り拡げ部分にそれぞれ設けられた芯材と、
下ろくろに従動して傘軸に沿って移動し、且つ、前記傘軸まわりに回転可能な中ろくろと、
前記芯材と前記中ろくろを連結し、前記下ろくろのハンドル側への移動に伴い前記親骨が前記傘軸側に引き寄せられて前記傘布の張りが緩むのに応じて前記張り拡げ部分を前記傘軸側に引き寄せる引っ張り部材と、
前記下ろくろのハンドル側への移動に伴い前記中ろくろを前記傘軸まわりに回転させて前記張り拡げ部分を前記傘軸と前記親骨との間に巻き込む回転機構と、
を備えることを特徴とする傘状構造体。
【請求項２】
前記中ろくろの少なくとも一部は前記下ろくろの内側に配置されており、
前記回転機構は、前記下ろくろの内周面と前記中ろくろの外周面とのうち、いずれか一方に設けられた螺旋状ガイドと、いずれか他方に設けられて前記螺旋状ガイドに沿って相対移動可能なスライダと、を有し、前記下ろくろの前記ハンドル側への移動に伴って前記下ろくろと前記中ろくろとの間で移動距離に差が生じると、前記スライダが前記螺旋状ガイドに沿って相対移動して前記中ろくろを前記傘軸まわりに回転させる
ことを特徴とする請求項１記載の傘状構造体。
【請求項３】
前記回転機構は、閉じる動作の最終段階で前記中ろくろを前記傘軸まわりに回転させることを特徴とする請求項１又は２記載の傘状構造体。
【請求項４】
前記引っ張り部材の一端は前記芯材に対してスライド可能に連結されており、前記下ろくろに従動して前記中ろくろが所定位置まで前記ハンドル側に移動すると、ストッパによって前記引っ張り部材の一端の移動が制限されて前記中ろくろの移動が制限されることを特徴とする請求項１から３のいずれか記載の傘状構造体。
【請求項５】
前記下ろくろの前記傘軸まわりの回転を防止する回転防止機構を備えることを特徴とする請求項１から４のいずれか記載の傘状構造体。
【発明の詳細な説明】
【技術分野】
【０００１】
本発明は、雨傘、日傘、和傘、ビーチパラソルやガーデンパラソル等の日よけ傘、等の傘状構造体に関する。
【背景技術】
【０００２】
傘を閉じると、傘布の親骨間に張られる部分がたるんで広がり、邪魔になる。そのため、このたるみ部分を傘軸の外側に巻き付けて束ね、さらに巻き紐で止めることが行われる。この一連の動作は手で行われるため、雨の日の使用によって傘布が濡れていると、手が濡れてしまう。この手が濡れるという煩わしさを解消するための傘として、例えば引用文献１に開示されているものがある。
【０００３】
この傘を、図１１及び図１２に示す。傘布１０１には複数の弾力性のある湾曲部材１０２が設けられている。傘１００を開いた状態では、放射状に配置された親骨１０３が傘布１０１を張るため、湾曲部材１０２は平らな形状に弾性変形している。この状態より、傘１００を閉じると、親骨１０３による傘布１０１の張りが緩むので、湾曲部材１０２が湾曲し、傘布１０１の親骨１０３と親骨１０３の間のたるみ部分１０１ａを傘軸１０４の外側に巻き付ける。そして、たるみ部分１０１ａの外側に湾曲させた巻き紐１０５を巻き付けることで、たるみ部分１０１ａが広がらないようにすることができる。
【先行技術文献】
【特許文献】
【０００４】
【特許文献１】特開２０００−３１２６０９号公報
【発明の概要】
【発明が解決しようとする課題】
【０００５】
しかしながら、上記の傘１００は、傘布１０１のたるみ部分１０１ａを傘軸１０４の外側に巻き付けるようにしているため、傘布１０１の濡れている部分は露出している。そのため、傘１００の使用者の手や衣服を濡らす虞がある。
本発明は、かかる課題を解決するためになされたものであり、傘状構造体を閉じることで傘布の親骨間に張られる部分を隠すことができる傘状構造体を提供することを目的とする。
【課題を解決するための手段】
【０００６】
上記目的を達成するため、本発明の傘状構造体は、傘布の親骨間に張られる張り拡げ部分にそれぞれ設けられた芯材と、下ろくろに従動して傘軸に沿って移動し、且つ、傘軸まわりに回転可能な中ろくろと、芯材と中ろくろを連結し、下ろくろのハンドル側への移動に伴い親骨が傘軸側に引き寄せられて傘布の張りが緩むのに応じて張り拡げ部分を傘軸側に引き寄せる引っ張り部材と、下ろくろのハンドル側への移動に伴い中ろくろを傘軸まわりに回転させて張り拡げ部分を傘軸と親骨との間に巻き込む回転機構と、を備えている。
したがって、傘状構造体を閉じる際、親骨による傘布の張りが緩むと、傘布の張り拡げ部分が親骨の内側の傘軸まわりに巻き込まれる。そのため、傘布の張り拡げ部分を内側に収容しながら傘状構造体を閉じることができる。
【０００７】
また、本発明の傘状構造体は、中ろくろの少なくとも一部は下ろくろの内側に配置されており、回転機構は、下ろくろの内周面と中ろくろの外周面とのうち、いずれか一方に設けられた螺旋状ガイドと、いずれか他方に設けられて螺旋状ガイドに沿って相対移動可能なスライダと、を有し、下ろくろのハンドル側への移動に伴って下ろくろと中ろくろとの間で移動距離に差が生じると、スライダが螺旋状ガイドに沿って相対移動して中ろくろを傘軸まわりに回転させるようにしても良い。
【０００８】
また、本発明の傘状構造体は、回転機構が、閉じる動作の最終段階で中ろくろを傘軸まわりに回転させるようにしても良い。
また、本発明の傘状構造体は、引っ張り部材の一端が芯材に対してスライド可能に連結されており、下ろくろに従動して中ろくろが所定位置までハンドル側に移動すると、ストッパによって引っ張り部材の一端の移動が制限されて中ろくろの移動が制限されるようにしても良い。
さらに、本発明の傘状構造体は、下ろくろの傘軸まわりの回転を防止する回転防止機構を備えるようにしても良い。
【発明の効果】
【０００９】
本発明によれば、傘状構造体を閉じる際、傘布の張り拡げ部分を傘軸側に引き込み傘軸に巻き付けるようにして収容することができる。そのため、傘布の雨で濡れた部分を隠すことができ、使用者の手や衣服等を濡らすのを防止することができる。
また、本発明によれば、傘状構造体を閉じる際、傘布の張り拡げ部分を親骨の内側に収容することができるので、傘状構造体を閉じた後で傘布を巻き紐で止める必要がなくなり、巻き紐を不要にすることが可能になる。
【００１０】
また、本発明によれば、傘状構造体を閉じる際、傘布の張り拡げ部分を親骨の内側に収容して隠すことができるので、見た目をスッキリとさせることができ、今までにない新しいデザインの傘状構造体を提供することができる。この場合、巻き紐を不要にすれば、さらに見た目をスッキリとさせることができ、より斬新なデザインの傘状構造体を提供することができる。
【００１１】
さらに、本発明によれば、傘状構造体を閉じる際、傘布の張り拡げ部分を傘軸まわりに巻き付けるようにして収容するので、傘布の張り拡げ部分がくしゃくしゃにならず、細く纏めることができる。
【図面の簡単な説明】
【００１２】
【図１】雨傘の芯材と引っ張り部材との位置関係を示し、（Ａ）は雨傘を開いた状態における図、（Ｂ）は雨傘の閉じ始めの段階の図、（Ｃ）は雨傘をある程度まで閉じて傘布からの反力が消滅した状態における図、（Ｄ）は雨傘を閉じた状態における図である。
【図２】開いた状態の傘布を示す図である。
【図３】芯材の取付状態を示す図である。
【図４】芯材と引っ張り部材との連結部分を示す図である。
【図５】下ろくろおよび中ろくろを示し、下ろくろに中ろくろが収容されている状態の断面図である。
【図６】下ろくろおよび中ろくろを示し、下ろくろから中ろくろが突出している状態の断面図である。
【図７】図６のＡ−Ａ線に沿う断面図である。
【図８】図６のＢ−Ｂ線に沿う断面図である。
【図９】図６のＣ−Ｃ線に沿う断面図である。
【図１０】傘布の張り拡げ部分を親骨の内側の傘軸まわりのスペースに収容する様子を説明するための斜視図である。
【図１１】従来の傘を示し、開いた状態の斜視図である。
【図１２】従来の傘を示し、閉じる途中の状態の斜視図である。
【発明を実施するための形態】
【００１３】
次に、本発明に係る傘状構造体の実施形態の一例について、図面を参照しながら説明する。傘状構造体としては、雨傘、日傘、和傘、ビーチパラソルやガーデンパラソルなどの日よけ傘、等があるが、本実施形態では雨傘を例に説明する。ただし、雨傘に限るものではない。
【００１４】
図１〜図１０に、本発明に係る雨傘１を示す。雨傘１は、複数の親骨３と複数の受け骨８と下ろくろ１１を備えている。図１（Ｄ）の雨傘１を閉じた状態から、使用者が下ろくろ１１を傘軸５に沿って石突９側に移動させると、受け骨８が親骨３を押し上げる。これにより、親骨３が放射状に広がる（図２）。すなわち、雨傘１が開く（図１（Ａ））。そして、雨傘１を開いた状態から、使用者が下ろくろ１１を傘軸５に沿ってハンドル１５側に移動させると、受け骨８が親骨３を傘軸５側に引き寄せる。すなわち、雨傘１が閉じる。
【００１５】
また、雨傘１は、傘布２の親骨３間に張られる張り拡げ部分２ａにそれぞれ設けられた芯材４と、下ろくろ１１に従動して傘軸５に沿って移動し且つ傘軸５まわりに回転可能な中ろくろ１４と、芯材４と中ろくろ１４を連結し、下ろくろ４のハンドル１５側への移動に伴い親骨３が傘軸５側に引き寄せられて傘布２の張りが緩むのに応じて傘布２の親骨３間に張られる張り拡げ部分２ａを傘軸５側に引き寄せる引っ張り部材６と、下ろくろ１１のハンドル１５側への移動に伴い中ろくろ１４を傘軸５まわりに回転させて傘布２の親骨３間に張られる張り拡げ部分２ａを傘軸５と親骨３との間に巻き込む回転機構１６と、を備えている。
【００１６】
芯材４は、図２に示すように、各親骨３の間に１本ずつ設けられている。芯材４は線状又は棒状を成しており、例えばプラスチック、樹脂、金属等によって形成されている。本実施形態では、芯材４をガラス繊維強化プラスチックによって形成しているが、これに限るものではない。芯材４は、隣り合う２本の親骨３から等距離の位置に設けられている。芯材４の内側端は上ろくろ１０に回動自在に連結されている。
【００１７】
芯材４の長さは、雨傘１を閉じる際、中ろくろ１４が傘軸５まわりに回転すると、傘布２の親骨３間に張られる張り拡げ部分２ａを傘軸５と親骨３との間に確実に引き込むことができる長さになっている。本実施形態では、図３に示すように、芯材４の長さをその外側端が傘布２の外周縁２ｃの近傍に届く長さにしているが、必ずしもここまで長くしなくても良い。芯材４の外側端は傘布２の内側面２ｄに取り付けられている。芯材４には後述する連結スライダ１８が取り付けられている。
【００１８】
引っ張り部材６は線状又は棒状を成しており、例えばプラスチック、樹脂、金属等によって形成されている。本実施形態では、引っ張り部材６をガラス繊維強化プラスチックによって形成している。引っ張り部材６の一端６ａは、芯材４に対してスライド可能に連結されており、下ろくろ１１に従動して中ろくろ１４が所定位置までハンドル１５側に移動すると、芯材４に固定されたストッパ２３によって引っ張り部材６の一端６ａの移動が制限される。本実施形態では、引っ張り部材６の一端６ａは芯材４に沿って移動可能な連結スライダ１８に回動可能に連結されており、これにより引っ張り部材６の一端６ａは芯材４に対してスライド可能に、且つ、連結スライダ１８に対して回動可能になっている（図４）。雨傘１を開閉する際、芯材４に対して連結スライダ１８がスライドすることで芯材４と引っ張り部材６との連結位置が変化し、雨傘１の開閉が可能になる。また、引っ張り部材６の他端６ｂは中ろくろ１４に対して回動可能に連結されている。図５および図６に示すように、引っ張り部材６の他端６ｂは受け骨８の他端８ｂよりも内側（傘軸５側）に配置されている。
【００１９】
引っ張り部材６は、図１（Ａ）に示すように、雨傘１を開いた状態で受け骨８よりも石突９側の内側空間１２に納められている。このようにすることで、雨傘１を使用する際、引っ張り部材６が使用者の邪魔になるのを防止することができる。
【００２０】
図５および図６に、下ろくろ１１及び中ろくろ１４を示す。図５は、雨傘１の図１（Ａ）〜（ｃ）に示す状態に対応し、図６は、雨傘１の図１（Ｄ）に示す状態に対応している。下ろくろ１１及び中ろくろ１４は円筒形状を成しており、下ろくろ１１内に中ろくろ１４の少なくとも一部が収容可能となっている。図５に示す下ろくろ１１内に中ろくろ１４を収容した状態において、下ろくろ１１から露出している中ろくろ１４の頭部１４ａには引っ張り部材６の他端６ｂが回動可能に連結されている。後述のように下ろくろ１１は傘軸５まわりに回転することができないのに対し、中ろくろ１４は傘軸５まわりに回転可能になっている。すなわち、中ろくろ１４と傘軸５との間および中ろくろ１４と下ろくろ１１との間には隙間が設けられており、中ろくろ１４は傘軸５および下ろくろ１１に対して回転可能になっている。
【００２１】
回転機構１６は、下ろくろ１１の内周面１１ａと中ろくろ１４の外周面１４ｂとのうち、いずれか一方に設けられた螺旋状ガイド１９と、いずれか他方に設けられて螺旋状ガイド１９に沿って相対移動可能なスライダ２０とを有しており、下ろくろ１１のハンドル１５側への移動に伴って下ろくろ１１と中ろくろ１４との間で移動距離に差が生じると、スライダ２０が螺旋状ガイド１９に沿って相対移動して中ろくろ１４を傘軸５まわりに回転させる。本実施形態では、下ろくろ１１の内周面１１ａにスライダ２０を設け、中ろくろ１４の外周面１４ｂに螺旋状ガイド１９を設けている。ただし、下ろくろ１１の内周面１１ａに螺旋状ガイド１９を設け、中ろくろ１４の外周面１４ｂにスライダ２０を設けても良い。
【００２２】
本実施形態では、螺旋状ガイド１９を螺旋状の溝によって構成し、スライダ２０を螺旋状ガイド１９に嵌まり込んで摺動する凸部によって構成している。ただし、これらには限るものではなく、例えば螺旋状ガイド１９を螺旋状の凸部で構成し、スライダ２０を螺旋状ガイド１９に嵌まり込んで摺動する凹部を有する部材で構成しても良い。
【００２３】
螺旋状ガイド１９およびスライダ２０の組み合わせは、周方向に等間隔で例えば２組設けられている。この組み合わせ数が少なすぎると、下ろくろ１１に対して中ろくろ１４ががたつく虞があり雨傘１の使い心地が悪くなる。一方、螺旋状ガイド１９およびスライダ２０の組み合わせ数が多すぎると、中ろくろ１４の回転時に生じる摩擦力が大きくなって操作性が悪化し雨傘１の使い勝手が悪くなる虞がある。したがって、これらのバランスを考慮して螺旋状ガイド１９およびスライダ２０の組み合わせ数を決定することが望ましい。本実施形態では、螺旋状ガイド１９およびスライダ２０の組み合わせ数を２組にしているが、必ずしも２組に限るものではない。
【００２４】
雨傘１は、下ろくろ１１の傘軸５まわりの回転を防止する回転防止機構２１を備えている。本実施形態では、傘軸５に設けられた凹部５ａと、下ろくろ１１に設けられた凸部１１ｂによって回転防止機構２１を構成している。凹部５ａは傘軸５の外周面５ｂにその軸方向に沿って設けられている。本実施形態では、円筒状の傘軸５を凹ますことで凹部５ａを設けているが、これに限るものではない。凹部５ａは少なくとも下ろくろ１１が移動する範囲にわたって設けられている。また、凸部１１ｂは、下ろくろ１１の内周面１１ａに設けられた仕切り壁１１ｃの内側を一部突出させることで形成されているが、これに限るものではない。凸部１１ｂが凹部５ａに嵌まり込むことで、下ろくろ１１の傘軸５に沿う移動を可能にしつつ、傘軸５まわりの回転を防止することができる。
【００２５】
凹部５ａと凸部１１ｂの組合せは、周方向に等間隔で例えば２組設けられている。この組み合わせ数が少なすぎると、傘軸５に対して下ろくろ１１ががたつく虞があり雨傘１の使い心地が悪くなる。一方、凹部５ａと凸部１１ｂの組み合わせ数が多すぎると、下ろくろ１１の移動時に生じる摩擦力が大きくなって操作性が悪化し雨傘１の使い勝手が悪くなる虞がある。したがって、これらのバランスを考慮して凹部５ａと凸部１１ｂの組み合わせ数を決定することが望ましい。本実施形態では、凹部５ａと凸部１１ｂの組み合わせ数を２組にしているが、必ずしも２組に限るものではない。
【００２６】
次に、使用者が雨傘１を閉じるだけで、傘布２の張り拡げ部分２ａが傘軸５と親骨３の間に自動的に巻き取られることについて説明する。
図１（Ａ）の雨傘１を開いている状態では、中ろくろ１４は下ろくろ１１内に収容されており、その先端は下ろくろ１１の仕切り壁１１ｃに度当たりしている（図５）。この状態から、使用者が雨傘１を閉じるために下ろくろ１１をハンドル１５側に移動させると、受け骨８が親骨３を傘軸５側に引き寄せ、親骨３によって張られていた傘布２が緩み始める。また、中ろくろ１４は下ろくろ１１と一体になってハンドル１５側に移動し、下ろくろ１１と中ろくろ１４との間には移動距離の差は生じない。したがって、この段階では中ろくろ１４は回転しない。
【００２７】
下ろくろ１１および中ろくろ１４がハンドル１５側に移動するのに伴い、親骨３および芯材４が傘軸５側に引き寄せられる。そして、芯材４が傘軸５側に引き寄せられるのに伴い、引っ張り部材６の一端６ａを芯材４に連結させる連結スライダ１８が芯材４に対してスライドする。
【００２８】
そして、図１（Ｃ）に示すように雨傘１がある程度まで閉じられると、連結スライダ１８が芯材４に固定されているストッパ２３に度当たりする。即ち、下ろくろ１１に従動して中ろくろ１４が所定位置まで移動すると、ストッパ２３によって引っ張り部材６の一端６ａの移動（連結スライダ１８のスライド）が制限される。そのため、下ろくろ１１に従動していた中ろくろ１４はハンドル１５側に移動できなくなり、以降、下ろくろ１１だけで移動する。そのため、下ろくろ１１と中ろくろ１４との間で移動距離に差が生じ、中ろくろ１４が回転しながら下ろくろ１１から引き出される。
【００２９】
このように、中ろくろ１４は、図１（Ａ）から同（Ｃ）までの状態では回転しないが、図１（Ｃ）から同（Ｄ）の状態では回転する。即ち、回転機構１６は、雨傘１を閉じる動作の最終段階で中ろくろ１４を傘軸５まわりに回転させる。
【００３０】
中ろくろ１４の回転によって引っ張り部材６の他端６ｂが傘軸５まわりに回転され、引っ張り部材６全体が傘軸５まわりに巻き付けられるように動かされて芯材４を傘軸５と親骨３との間のスペースに引き込む。これにより、芯材４が取り付けられている傘布２の張り拡げ部分２ａが傘軸５と親骨３との間に引き込まれて収容される。即ち、図１０に示すように、傘布２の張り拡げ部分２ａを親骨３の内側の傘軸５まわりに巻き付けながら雨傘１を閉じることができる。
【００３１】
回転機構１６は、傘布２の張り拡げ部分２ａを巻き取るのに十分な量だけ中ろくろ１４を回転させる。
そして、下ろくろ１１を下はじき２２に止めることで、下ろくろ１１および中ろくろ１４の石突９側への戻りを防止して傘布２の広がりを防ぐことができる。
【００３２】
この状態では、図６に示すように、下ろくろ１１内に中ろくろ１４の一部が残っており、中ろくろ１４が下ろくろ１１から完全に抜け出てしまうことはない。
【００３３】
一方、閉じた雨傘１を開く場合には、下ろくろ１１を下はじき２２から外して石突９側に移動させればよい。
開き初めの段階では、下ろくろ１１のみが石突９側に移動し、その移動に伴い中ろくろ１４が戻り方向に回転して下ろくろ１１内に収容される。また、中ろくろ１４の回転に応じて引っ張り部材６および芯材４が元の形状に戻り、傘布２の張り拡げ部分２ａを傘軸５と親骨３との間のスペースから引き出す。中ろくろ１４は下ろくろ１１の仕切り壁１１ｃに度当たりするまで回転し、度当たり後は下ろくろ１１と一緒に移動して雨傘１が開かれる。
【００３４】
このように、雨傘１を閉じると、傘布２の張り拡げ部分２ａが自動的に傘軸５まわりに巻き取られるので、使用者がわざわざ手で傘布２の張り拡げ部分２ａを処理する必要がない。そのため、使用者の手を濡らすことがない。
また、雨傘１を閉じる際、傘布２の張り拡げ部分２ａを内側に隠すことができる。そのため、雨によって濡れた部分を隠すことができ、使用者の手や衣服等を濡らすのを防止することができる。
【００３５】
雨傘１を閉じた状態では、傘布２の張り拡げ部分２ａを傘軸５に巻き付けるようにして収容することができる。そのため、閉じた雨傘１を細く纏めることできる。
【００３６】
また、雨傘１を閉じた状態で、傘布２の張り拡げ部分２ａを隠すことができるので、見た目をスッキリとさせることができ、今までにない新しいデザインの雨傘１を提供することができる。
さらに、雨傘１を閉じる際、傘布２の張り拡げ部分２ａを内側に巻き込むことができるので、雨傘１を閉じた後で傘布２を巻き紐で止める必要がなくなり、巻き紐を不要にすることができる。そして、巻き紐を不要にできることからも見た目をスッキリとさせることができ、この点からも今までにない新しいデザインの雨傘１を提供することができる。
【産業上の利用可能性】
【００３７】
本発明は、雨傘、日傘、和傘、ビーチパラソルやガーデンパラソル等の日よけ傘、等の傘状構造体に利用できる。
【符号の説明】
【００３８】
１  雨傘（傘状構造体）
２  傘布
２ａ  傘布の親骨間に張られる張り拡げ部分
３  親骨
４  芯材
５  傘軸
６  引っ張り部材
１１  下ろくろ
１４  中ろくろ
１５  ハンドル
１６  回転機構
１９  螺旋状ガイド
２０  スライダ
２１  回転防止機構
２３  ストッパ
【要約】      （修正有）【課題】傘を閉じる際、傘布の親骨間に張られる部分を内側に収容し、傘布の雨で濡れた部分を隠すことができ、使用者の手や衣服等を濡らすのを防止することができる傘状構造体を提供する。【解決手段】傘布の親骨３間に張られる張り拡げ部分にそれぞれ設けられた芯材４と、下ろくろ１１に従動して傘軸５に沿って移動し且つ傘軸５まわりに回転可能な中ろくろ１４と、芯材４と中ろくろ１４を連結し、下ろくろ１１のハンドル１５側への移動に伴い親骨３が傘軸５側に引き寄せられて傘布の張りが緩むのに応じて傘布の張り拡げ部分を傘軸５側に引き寄せる引っ張り部材６と、下ろくろ１１のハンドル１５側への移動に伴い中ろくろ１４を傘軸５まわりに回転させて傘布の張り拡げ部分を傘軸５と親骨３との間に巻き込む回転機構と、を備えている。傘布の張り拡げ部分を内側に収容しながら傘状構造体を閉じることができる。【選択図】図１【図１】
0006869494.tif 000002
【図２】
0006869494.tif 000003
【図３】
0006869494.tif 000004
【図４】
0006869494.tif 000005
【図５】
0006869494.tif 000006
【図６】
0006869494.tif 000007
【図７】
0006869494.tif 000008
【図８】
0006869494.tif 000009
【図９】
0006869494.tif 000010
【図１０】
0006869494.tif 000011
【図１１】
0006869494.tif 000012
【図１２】
0006869494.tif 000013